(57)【要約】【課題】作業効率を向上させると共に、建物内部に雨水を侵入させない建物の屋根構造を提供する。【解決手段】本発明の建物の屋根構造は、排水口まで延設される凹部により構成される排水通路を有する排水部材と、上記排水通路の幅方向と対向する排水部材の両端面から上記排水通路の幅方向外側、かつ、上記排水通路の深さ方向上方側へ向かい、上記排水部材の全長にわたって延設される設置部材と、上記設置部材を建物の屋根の上面に固定する固定部材と、を備え、上記排水部材は、上記凹部の開口が上記建物の高さ方向上方を向き、かつ、上記排水通路が上記建物の桁方向に沿って上記屋根の谷に配置され、上記設置部材は、上記屋根の上面側に配置される。【選択図】  図４
2018123599.tif 000002
【特許請求の範囲】
【請求項１】
排水口まで延設される凹部により構成される排水通路を有する排水部材と、
前記排水通路の幅方向と対向する排水部材の両端面から前記排水通路の幅方向外側、かつ、前記排水通路の深さ方向上方側へ向かい、前記排水通路の略全長にわたって延設される設置部材と、
前記設置部材を建物の屋根の上面に固定する固定部材と、
を備え、
前記排水部材は、前記凹部の開口が前記建物の高さ方向上方を向き、かつ、前記排水通路が前記建物の桁方向に沿って前記屋根の谷に配置され、
前記設置部材は、前記屋根の上面側に配置されること特徴とする、
建物の屋根構造。
【請求項２】
前記排水通路は、自身に沿って前記排水口へ向かう方向、かつ、前記排水通路の深さ方向下方側へ傾斜する傾斜路を有することを特徴とする、
請求項１に記載の建物の屋根構造。
【請求項３】
前記排水口は、前記排水通路の両端それぞれに設けられる第１の排水口および第２の排水口により構成され、
前記排水通路は、
自身の第１の途中地点から自身に沿って前記第１の排水口へ向かう方向、かつ、前記排水通路の深さ方向下方側へ傾斜する第１の傾斜路と、
自身の第２の途中地点から自身に沿って前記第２の排水口へ向かう方向、かつ、前記排水通路の深さ方向下方側へ傾斜する第２の傾斜路と、
を有することを特徴とする、
請求項１または２に記載の建物の屋根構造。
【請求項４】
前記排水部材は、自身の前記建物の高さ方向下端部が前記建物の軒の先端よりも前記建物の高さ方向上方に位置するよう配設されることを特徴とする、
請求項１〜３のいずれかに記載の建物の屋根構造。
【請求項５】
前記設置部材の勾配は、前記屋根の勾配と同じであり、
前記設置部材は、全体が前記屋根の傾斜に沿って前記屋根の上面に当接するよう配置されることを特徴とする、
請求項１〜４のいずれかに記載の建物の屋根構造。
【請求項６】
前記設置部材は、前記屋根よりも勾配が小さいことを特徴とする、
請求項１〜５のいずれかに記載の建物の屋根構造。
【請求項７】
前記排水部材と前記設置部材とは、一体形成されることを特徴とする、
請求項１〜６のいずれかに記載の建物の屋根構造。
【請求項８】
建物の屋根の谷に配置される排水装置であって、
排水口まで延設される凹部により構成される排水通路を有する排水部材と、
前記排水通路の幅方向と対向する排水部材の両端面から前記排水通路の幅方向外側、かつ、前記排水通路の深さ方向上方側へ向かい、前記排水部材の全長にわたって延設される設置部材と、
前記設置部材を建物の屋根の上面に固定する固定部材と、
を備え、
前記排水部材は、前記凹部の開口が前記建物の高さ方向上方を向き、かつ、前記排水通路が前記建物の桁方向に沿って前記屋根の谷に配置され、
前記設置部材は、前記屋根の上面側に配置されること特徴とする、
排水装置。
【発明の詳細な説明】
【技術分野】
【０００１】
本発明は建物の屋根構造、および、排水装置に関する。
【背景技術】
【０００２】
建物の屋根の谷に設けられる雨対策の屋根構造としていろいろな提案がなされている。例えば、建物の屋根の谷を構成する両方の屋根に縁部分を固定した谷樋と、谷樋の流路部分の下面に沿わせた軽量補強板と、その軽量補強板の下面に当接され、両端部分が谷を構成する両方の屋根に取付けられた複数の吊り金具よりなる谷桶構造が提案されている（例えば、特許文献１参照）。また、谷を構成する屋根パネルの端部に自身の両端が嵌め込まれて、谷を構成する屋根パネルの間に雨水の流路が形成される屋根構造も提案されている（例えば、特許文献２参照）。
【先行技術文献】
【特許文献】
【０００３】
【特許文献１】実開平０４―１２９２２６号公報
【特許文献２】特開平１０―１６９１１０号公報
【発明の概要】
【発明が解決しようとする課題】
【０００４】
上記谷桶構造および屋根構造は、建物の内部側から作業を行って形成・メンテンナンスされる。そして、既存の建物の内部側にはいろいろな構造物があることが多い。そのような構造物は作業時には障害物となるため、作業効率が悪くなる。
【０００５】
また、近年、予想しない多量の雨が降ることにより、建物の谷部分に設けられる谷樋から雨があふれ、建物内部に雨が侵入する事態が生じている。建物内部に雨水が侵入しづらい構造が望まれる。
【０００６】
本発明は、斯かる実情に鑑み、作業効率を向上させると共に、建物内部に雨水を侵入させない建物の屋根構造、および、排水装置を提供しようとするものである。
【課題を解決するための手段】
【０００７】
本発明は、上記課題を解決するためになされたものであり、本発明の建物の屋根構造は、排水口まで延設される凹部により構成される排水通路を有する排水部材と、上記排水通路の幅方向と対向する排水部材の両端面から上記排水通路の幅方向外側、かつ、上記排水通路の深さ方向上方側へ向かい、上記排水通路の略全長にわたって延設される設置部材と、上記設置部材を建物の屋根の上面に固定する固定部材と、を備え、上記排水部材は、上記凹部の開口が上記建物の高さ方向上方を向き、かつ、上記排水通路が上記建物の桁方向に沿って上記屋根の谷に配置され、上記設置部材は、上記屋根の上面側に配置されること特徴とする。
【０００８】
また、本発明の建物の屋根構造において、上記排水通路は、自身に沿って上記排水口へ向かう方向、かつ、上記排水通路の深さ方向下方側へ傾斜する傾斜路を有することを特徴とする。
【０００９】
また、本発明の建物の屋根構造において、上記排水口は、上記排水通路の両端それぞれに設けられる第１の排水口および第２の排水口により構成され、上記排水通路は、自身の第１の途中地点から自身に沿って上記第１の排水口へ向かう方向、かつ、上記排水通路の深さ方向下方側へ傾斜する第１の傾斜路と、自身の第２の途中地点から自身に沿って上記第２の排水口へ向かう方向、かつ、上記排水通路の深さ方向下方側へ傾斜する第２の傾斜路と、を有することを特徴とする。
【００１０】
また、本発明の建物の屋根構造において、上記排水部材は、自身の上記建物の高さ方向下端部が上記建物の軒の先端よりも上記建物の高さ方向上方に位置するよう配設されることを特徴とする。
【００１１】
また、本発明の建物の屋根構造において、上記設置部材の勾配は、上記屋根の勾配と同じであり、上記設置部材は、全体が上記屋根の傾斜に沿って上記屋根の上面に当接するよう配置されることを特徴とする。
【００１２】
また、本発明の建物の屋根構造において、上記設置部材は、上記屋根よりも勾配が小さいことを特徴とする。
【００１３】
また、本発明の建物の屋根構造において、上記排水部材と上記設置部材とは、一体形成されることを特徴とする。
【００１４】
また、本発明の排水装置は、建物の屋根の谷に配置される排水装置であって、排水口まで延設される凹部により構成される排水通路を有する排水部材と、上記排水通路の幅方向と対向する排水部材の両端面から上記排水通路の幅方向外側、かつ、上記排水通路の深さ方向上方側へ向かい、上記排水部材の全長にわたって延設される設置部材と、上記設置部材を建物の屋根の上面に固定する固定部材と、を備え、上記排水部材は、上記凹部の開口が上記建物の高さ方向上方を向き、かつ、上記排水通路が上記建物の桁方向に沿って上記屋根の谷に配置され、上記設置部材は、上記屋根の上面側に配置されること特徴とする。
【発明の効果】
【００１５】
本発明の建物の屋根構造、および、排水装置によれば、作業効率を向上させると共に、建物内部に雨水を侵入させないという優れた効果を奏し得る。
【図面の簡単な説明】
【００１６】
【図１】本発明における第１の実施の形態における排水装置の斜視図である。
【図２】（ａ）は本発明における第１の実施の形態における排水装置の側面図であり、（ｂ）は本発明における第１の実施の形態における排水装置の幅方向断面図である。
【図３】本発明における第１の実施の形態における排水装置を用いた建物の屋根構造を示す図である。
【図４】（ａ）は、本発明における第１の実施の形態における排水装置を用いた建物の屋根構造の梁方向断面図であり、（ｂ）は、本発明における第１の実施の形態における排水装置を用いた建物の屋根構造の桁方向側面図である。
【図５】（ａ）は本発明における第１の実施の形態における排水通路の水位が凹部開口面以下の様子を示す図であり、（ｂ）は本発明における第１の実施の形態における排水通路の水位が凹部開口面を超えた様子を示す図である。
【図６】（ａ）は、本発明における第２の実施の形態における排水装置の排水方向（延設方向）側面図であり、（ｂ）は、本発明における第２の実施の形態における排水装置を用いた建物の屋根構造の桁方向側面図である。
【図７】（ａ）は、本発明における第３の実施の形態における排水装置の斜視図であり、（ｂ）は、本発明における第３の実施の形態における排水装置を用いた建物の屋根構造の梁方向断面図である。
【図８】（ａ）は、本発明における第４の実施の形態における排水装置の排水方向（延設方向）側面図であり、（ｂ）は、本発明における第４の実施の形態における排水装置を用いた建物の屋根構造の桁方向側面図である。
【図９】（ａ）は、本発明における第１の実施の形態における排水装置を用いた建物の屋根構造の梁方向断面図であり、（ｂ）は、本発明における第３の実施の形態における排水装置を用いた建物の屋根構造の梁方向断面図である。
【発明を実施するための形態】
【００１７】
以下、本発明の実施の形態を添付図面を参照して説明する。
【００１８】
＜第１の実施の形態＞
図１および図２を参照して、本発明の第１の実施の形態における排水装置１について説明する。排水装置１は、図１に示すように、排水部材１０と、設置部材１１と、（図示しない）固定部材と、排水集約管１２とを備える。
【００１９】
排水部材１０は、例えば、雨を受けて、受けた雨を排水口１０ｂまで誘導して排水するものである。具体的に排水部材１０には、排水口１０ｂまで延設される凹部１３が設けられる。この凹部１３により排水通路１４が構成される。排水通路１４は、雨を排水口１０ｂまで誘導する通路である。ここで、排水通路１４に沿って排水口１０ｂへ向かう方向を排水方向Ａ（矢印Ａ参照、以下同じ。）と定義する。排水方向Ａは、後述するように、建物１００に排水装置１を取り付けた際に、建物１００の桁方向の排水集約管１２が配設される側と一致する。
【００２０】
また、排水通路１４（または凹部１３。以下も同様とする。）の深さ方向（矢印Ｂ参照。以下も同様とする。）下端面１４ａは、例えば、図２（ａ）に示すように、排水方向Ａに沿って排水通路１４の深さ方向下方側へ傾斜するよう形成される。すなわち、深さ方向下端面１４ａは、自身に沿って排水口１０ｂへ向かう方向、かつ、排水通路１４の深さ方向下方側へ傾斜する。また、深さ方向下端面１４ａは、排水方向Ａに対して角度θ１だけ傾斜する。以上のように、排水通路１４は、深さ方向下端面１４ａにより下端面が構成される傾斜路を有する。なお、排水通路１４の深さ方向とは、後述するように、建物１００に排水装置１を取り付けた際に、建物１００の高さ方向または鉛直方向と一致するものである。
【００２１】
排水通路１４は、自身の延設方向全長にわたって傾斜路により構成されるが、これに限定されるものではない。排水通路１４は、例えば、自身の一区間のみが傾斜路で構成されてもよいし、自身の不連続な複数の区間が傾斜路で構成されてもよい。
【００２２】
なお、排水通路１４は、直線状に延設される区間のみで構成されるが、これに限定されるものではない。すなわち、排水通路１４は、屈曲する区間、湾曲する区間を含んでもよいし、屈曲する区間、湾曲する区間のみで構成されてもよい。この場合であっても、深さ方向下端面１４ａは、自身に沿って排水口１０ｂへ向かう方向、かつ、排水通路１４の深さ方向下方側へ傾斜する。
【００２３】
また、排水部材１０は、例えば、図２（ｂ）に示すように、幅方向断面がコの字形状の板状部材により形成されることが想定されるが、これに限定されるものではない。排水部材１０は、排水口１０ｂへ向かって延設される凹部１３を有していれば、如何なる形状であってもよい。
【００２４】
設置部材１１は、排水部材１０を建物１００の屋根１０１に設置するものである。設置部材１１は、設置部材１１ａ，１１ｂにより構成される。設置部材１１ａ，１１ｂは、図２（ｂ）に示すように、それぞれ排水通路１４の幅方向（矢印Ｃ参照、以下同じ。）と対向する排水部材１０の両端面１５ａ，１５ｂ、かつ、排水通路１４の深さ方向上端部から延設される。また、設置部材１１ａ，１１ｂは、排水通路１４の幅方向外側（矢印Ｃ１，Ｃ２参照、以下同じ。）、かつ、排水通路１４の深さ方向上方側（矢印Ｂ１参照、以下同じ。）に向かって延設される。結果、設置部材１１ａ，１１ｂは、排水通路１４の幅方向に対して角度θ２，θ３の勾配を有する。角度θ２と角度θ３とは、同じ値であってもよいし、異なる値であってもよい。また、設置部材１１は、図１に示すように、排水通路１４の延設方向全長にわたって延設される。設置部材１１は、例えば、板状の部材により形成されることが想定されるが、これに限定されるものではない。
【００２５】
排水通路１４の水位が自身の深さ方向上端部を超えて、排水部材１０と設置部材１１との接続部分１７ａ，１７ｂから水漏れが生じないように、排水部材１０と設置部材１１との接続部分は、隙間なく密封されている必要がある。このため、排水部材１０と設置部材１１とは、一体形成されることがより好ましい。この場合、排水部材１０および設置部材１１の材質は、樹脂が想定され、特に、繊維強化プラスチック（Fiber Reinforced Plastics：FRP）が好ましい。一方、排水部材１０と設置部材１１とが互いに独立する別部材である場合、排水部材１０と設置部材１１との接続部分は、隙間なく密封されるような構造にする必要がある。
【００２６】
（図示しない）固定部材は、設置部材１１を建物１００の屋根１０１の上面に固定するものである。設置部材１１を建物１００の屋根１０１の上面に固定する態様として、例えば、ネジ部材、ナット部材等による締着、リベット部材による圧着、接着剤による接着等様々な態様が一例として挙げられるが、如何なる固定態様であってもよい。排水集約管１２は、排水通路１４を通じて排水される雨水を建物１００の外へ流すものである。
【００２７】
＜第１の実施形態における排水装置の取り付け＞
次に、図３および図４を参照して建物１００の屋根１０１に排水装置１が取り付けられる態様について説明する。なお、建物１００は、図３に示すように、例えば、建物１００の梁方向（矢印Ｄ参照、以下同じ。）へ三角形状の屋根１０１が連続して繰り返し設けられるものである。なお、梁方向とは、建物１００の梁に沿う水平な方向を指す。
【００２８】
排水装置１は、図３に示すように、隣り合う屋根１０１（１０１ａ，１０１ｂ）の谷１０２に取り付けられる。その際、凹部１３（排水通路１４）の開口１３ａが建物１００の高さ方向（矢印Ｅ参照、以下同じ。）上方を向き、排水通路１４が建物１００の桁方向に沿うように配置される。なお、桁方向とは、建物１００の桁に沿う水平な方向を指す。
【００２９】
具体的に、図４（ａ）に示すように、排水部材１０は、屋根１０１の上側に配置される。また、排水通路１４は、自身の幅方向が建物１００の梁方向と略一致するように配置される。また、排水通路１４は、図４（ｂ）に示すように、排水方向Ａが建物１００の桁方向（矢印Ｆ参照、以下同じ。）と略一致するように配置される。
【００３０】
結果、設置部材１１ａ，１１ｂが建物１００の梁方向と成す角度θ２，θ３は、屋根１０１が建物１００の梁方向と成す角度θ４よりも小さくなる。すなわち、設置部材１１ａ，１１ｂの勾配は、屋根１０１の勾配よりも小さくなる。設置部材１１ａ，１１ｂの勾配が屋根１０１の勾配よりも大きくなると、設置部材１１ａ，１１ｂを屋根１０１の上面に設置することができないからである。
【００３１】
また、排水部材１０が建物１００の桁方向に沿って配置されると、排水通路１４の深さ方向下端面１４ａは、図４（ｂ）に示すように、建物１００の桁方向全長にわたり排水方向Ａ、かつ、建物の高さ方向（または鉛直方向）下方側へ傾斜する。また、深さ方向下端面１４ａは、建物１００の桁方向に対して角度θ１だけ傾斜する。すなわち、排水通路１４は、建物１００の桁方向全長にわたり排水方向Ａ、かつ、建物の高さ方向（または鉛直方向）下方側へ傾斜する傾斜路により構成される。これにより、排水通路１４で受けられる雨水が排水集約管１２へ向かって流れやすくなる。
【００３２】
また、設置部材１１ａ，１１ｂと屋根１０１ａ，１０１ｂとは、互いの当接箇所１６ａ，１６ｂで固定部材により固定される。この際、当接箇所１６ａ，１６ｂにおいて設置部材１１ａ，１１ｂと屋根１０１ａ，１０１ｂとの間は、隙間なく密封されていることが好ましい。設置部材１１ａ，１１ｂと屋根１０１ａ，１０１ｂとの間に隙間があると、その隙間から水が侵入するからである。なお、設置部材１１ａ，１１ｂは、屋根１０１ａ，１０１ｂの頂部１０１ｃ，１０１ｄまで延設されてもよい。このようにすれば、上記隙間があってもその隙間から水が侵入する量が低減されるからである。
【００３３】
以上のように排水装置１が建物１００の屋根１０１に取り付けられる場合、以下のような利点がある。第１に、排水通路１４における雨水の水位が排水通路１４の開口１３ａを超えても設置部材１１があるため、建物１００内部に雨水が溢れない。例えば、図５（ａ）の状態からどんどん水位が上がっていくと、開口１３ａを超えて、図５（ｂ）の状態になる。この場合、設置部材１１が排水通路１４と一体となってさらに多量の雨水を受けることができる排水通路を構成する。すなわち、設置部材１１は、排水部材１０を屋根に設置する部材であると共に、排水通路１４の水位および雨水の受容量を増大させる拡張側壁部材としての機能を有する。従って、設置部材１１の延設範囲を調整することで、排水装置１の受容量を調整することができる。
【００３４】
第２に、排水装置１は取り付け工事が容易である。従来は、屋根１０１の下方側から排水部材を取り付けていたが、屋根１０１の下方側には障害物が多く、取付工事が容易ではなかった。一方、屋根１０１の上面側には障害物がほとんど無い。排水装置１は、作業者が屋根１０１に載って、障害物がほとんど無い屋根１０１の上面側から取り付けられるため、取付工事が容易である。従って、排水装置１は、従来よりも取り付けに際して作業効率を向上させることができる。
【００３５】
＜第２の実施の形態＞
図６を参照して、本発明の第２の実施の形態における排水装置２について説明する。排水装置２は、排水装置１と構成は同じであり、排水部材２０と、設置部材１１と、（図示しない）固定部材と、排水集約管１２とを備える。なお、以下において排水装置１における構成要素と同じのものは、排水装置１の説明で用いた符号と同様の符号を用いるものとする。
【００３６】
排水装置２と排水装置１との相違点は排水部材２０の構造である。排水部材２０における排水通路２４は、排水口２０ｂまで延設される凹部２３により構成される。排水部材２０における排水通路２４（または凹部２３。以下も同様とする。）の深さ方向下端面２４ａは、例えば、図６（ａ）に示すように、排水方向Ａに対して平行になるよう形成される。
【００３７】
排水装置２を建物１００に取り付ける場合、深さ方向下端面２４ａは、建物１００の桁方向一端から他端にわたり排水方向Ａ（排水通路２４に沿って排水集約管１２へ向かう方向）、かつ、建物の高さ方向（または鉛直方向）下方側へ傾斜することが好ましい。これを実現するには、排水部材２０自体が建物１００の桁方向に対して上記のような態様で傾斜して取り付けられればよい。排水部材２０をこのように取り付けるには、例えば、図６（ｂ）に示すように、屋根１０１の谷１０２と排水部材２０との間に傾斜角θ１を有する傾斜部材２５を入れればよい。傾斜部材２５は、側面が三角形状の部材である。なお、排水装置２を建物１００に取り付ける場合、深さ方向下端面２４ａが建物１００の桁方向に対して平行になる場合も本発明に含まれる。
【００３８】
＜第３の実施の形態＞
図７を参照して、本発明の第３の実施の形態における排水装置３について説明する。排水装置３は、排水装置１と構成は同じであり、排水部材３０と、設置部材３１と、（図示しない）固定部材と、排水集約管１２とを備える。排水装置３と排水装置１との相違点は排水部材３０の構造および設置部材３１の勾配である。
【００３９】
排水部材３０は、図７（ａ）に示すように、板部材３０ａ，３０ｂにより幅方向断面がくの字形状に形成される。排水部材３０を構成する板部材３０ａ，３０ｂが建物１００の梁方向と成す角度は、屋根１０１が建物１００の梁方向と成す角度θ４と同じである。結果、板部材３０ａ，３０ｂの勾配は、屋根１０１の勾配と同じになる。従って、図７（ｂ）に示すように、排水部材３０が屋根１０１の谷１０２に取り付けられると、板部材３０ａ，３０ｂは、それぞれ屋根１０１ａ，１０１ｂの傾斜に沿って屋根１０１ａ，１０１ｂと全体にわたって当接する。
【００４０】
また、設置部材３１ａ，３１ｂにより構成される設置部材３１は、設置部材１１と略同様である。相違点は、屋根１０１との勾配関係である。設置部材３１ａ，３１ｂが建物１００の梁方向と成す角度は、板部材３０ａ，３０ｂの場合と同様に、屋根１０１が建物１００の梁方向と成す角度θ４と同じになる。結果、設置部材３１の勾配は、屋根１０１の勾配と同じになる。従って、図７（ｂ）に示すように、排水部材３０が屋根１０１の谷１０２に取り付けられると、設置部材３１ａ，３１ｂは、それぞれ屋根１０１ａ，１０１ｂの傾斜に沿って屋根１０１ａ，１０１ｂと全体にわたって当接する。
【００４１】
以上のように、排水部材３０および設置部材３１は、全体が屋根１０１の上面と当接された状態で取り付けられる。このため、排水部材３０および設置部材３１と屋根１０１の上面との間のスペースがなくなる。排水装置１にように、排水部材１０および設置部材１１と屋根１０１の上面との間にスペースがあると、排水装置１の強度を向上させるため、そのスペースに補強部材を入れる必要性が出てくることがある。排水装置３は、このような施工をしなくても済むため、コストを低減することができると共に、より作業効率を向上させることができる。
【００４２】
＜第４の実施の形態＞
図８を参照して、本発明の第４の実施の形態における排水装置４について説明する。排水装置４は、排水装置１と構成は同じであり、排水部材４０と、設置部材１１と、（図示しない）固定部材と、排水集約管１２とを備える。排水装置４と排水装置１との相違点は排水部材４０の構造である。
【００４３】
排水部材４０は、排水通路４４の延設方向両端に排水口４０ａ，４０ｂを有する。排水部材４０における排水通路４４は、排水口４０ａ，４０ｂまで延設される凹部４３により構成される。排水通路４４（または凹部４３。以下も同様とする。）の深さ方向下端面４４ａは、図８（ａ）に示すように、深さ方向下端面４４ｂ，４４ｃで形成される。深さ方向下端面４４ｂは、排水通路４４の延設方向中央付近から排水通路４４に沿って排水口４０ａへ向かう方向、かつ、排水通路４４の深さ方向下方側へ傾斜するよう延びる。深さ方向下端面４４ｃは、排水通路４４の延設方向中央付近から排水通路４４に沿って排水口４０ｂへ向かう方向、かつ、排水通路４４の深さ方向下方側へ傾斜するよう延びる。そして、深さ方向下端面４４ｂは、排水通路４４の延設方向に対して角度θ５だけ排水通路４４の深さ方向下方側へ傾斜する。また、深さ方向下端面４４ｃは、排水通路４４の延設方向に対して角度θ６だけ排水通路４４の深さ方向下方側へ傾斜する。以上のように、排水通路４４は、深さ方向下端面４４ｂにより下端面が構成される第１傾斜路４５と、深さ方向下端面４４ｃにより下端面が構成される第２傾斜路４６とを有する。
【００４４】
排水装置４が屋根１０１ａ，１０１ｂの谷１０２に取り付けられると、深さ方向下端面４４ｂは、図８（ｂ）に示すように、建物１００の桁方向の中央付近から建物１００の桁方向一端に向かって建物１００の高さ方向下方側へ傾斜しながら延びるよう配置される。そして、深さ方向下端面４４ｂは、建物１００の桁方向に対して角度θ５だけ傾斜する。すなわち、第１傾斜路４５は、建物１００の桁方向の中央付近から建物１００の桁方向一端に向かって延びるよう配置される。
【００４５】
また、深さ方向下端面４４ｃは、図８（ｂ）に示すように、建物１００の桁方向の中央から建物１００の桁方向他端に向かって建物１００の高さ方向下方側へ傾斜しながら延びるよう配置される。そして、深さ方向下端面４４ｂは、建物１００の桁方向に対して角度θ６だけ傾斜する。すなわち、第２傾斜路は、建物１００の桁方向の中央付近から建物１００の桁方向他端に向かって延びるよう配置される。
【００４６】
排水装置４が建物１００の屋根１０１の谷１０２に取り付けられる場合、建物１００の桁方向両端の排水口４０ａ，４０ｂから排出される水が排水集約管１２に誘導可能な位置に排水集約管１２が配設される。このように、排水装置４によれば、雨水は２箇所へ誘導される。多量の雨が降っても排水を２箇所の排水集約管１２へ分散することができるため、排水装置４は、多量の雨が降った時、特に好ましい。
【００４７】
第１傾斜路４５および第２傾斜路４６は、排水通路４４の延設方向中央付近を始点とした傾斜路であるが、これに限定されるものではない。例えば、排水通路４４の第１途中地点から第１傾斜路４５は延設され、排水通路４４の第２途中地点から第２傾斜路４６は延設されてもよい。なお、第１途中地点および第２途中地点は、それぞれ異なる途中地点であってもよいし、同じ途中地点であってもよい。また、第１途中地点および第２途中地点は、排水通路４４の延設方向中央地点であってもよいし、それ以外の地点であってもよい。また、第１傾斜路４５は、それぞれ排水通路４４において連続して設けられなくてもよく、間に平坦路が入った不連続な飛び飛びなものであってもよい。同様に、第２傾斜路４６は、それぞれ排水通路４４において連続して設けられなくてもよく、間に平坦路が入った不連続な飛び飛びなものであってもよい。
【００４８】
＜第５の実施の形態＞
次に、図９を参照して、建物１１０の屋根１１１と、建物１１２の屋根１１３との間にスペースＧが設けられる谷１１４に排水装置１，３を取り付ける場合を第５の実施の形態として説明する。谷１１４に排水装置１，３を取り付ける場合、図９（ａ），（ｂ）に示すように、排水部材１０，３０の深さ方向（建物１１０，１１２の高さ方向）下端部１０ａ，３０ａが、屋根１１１，１１３の軒先の先端１１１ａ，１１３ａよりも建物１１０，１１２の高さ方向上方に配置されることが好ましい。屋根１１１，１１３の軒先の先端１１１ａ，１１３ａよりも下方部分には、通常、何らかの障害物が存在することが多いためである。
【００４９】
第１〜５の実施の形態の各要素を組み合わせたものも本発明の範囲に含まれる。
【００５０】
尚、本発明の建物の屋根構造、および、排水装置は、上記した実施の形態に限定されるものではなく、本発明の要旨を逸脱しない範囲内において種々変更を加え得ることは勿論である。
【符号の説明】
【００５１】
１，２，３，４  排水装置
１０，２０，３０，４０  排水部材
１０ａ，３０ａ  下端部
１０ｂ，２０ｂ，４０ａ，４０ｂ  排水口
１１，１１ａ，１１ｂ，３１，３１ａ，３１ｂ  設置部材
１２  排水集約管
１３，２３，４３  凹部
１３ａ  開口
１４，２４，４４  排水通路
１４ａ，２４ａ，４４ａ，４４ｂ，４４ｃ  深さ方向下端面
１５ａ，１５ｂ  両端面
１６ａ，１６ｂ  当接箇所
１７ａ，１７ｂ  接続部分
２５  傾斜部材
３０ａ，３０ｂ  板部材
４５  第１傾斜路
４６  第２傾斜路
１００，１１０，１１２  建物
１０１，１０１ａ，１０１ｂ，１１１，１１３  屋根
１０１ｃ，１０１ｄ  頂部
１０２，１１４  谷
１１１ａ，１１３ａ  軒先の先端
Ａ  排水方向
【図１】
2018123599.tif 000003
【図２】
2018123599.tif 000004
【図３】
2018123599.tif 000005
【図４】
2018123599.tif 000006
【図５】
2018123599.tif 000007
【図６】
2018123599.tif 000008
【図７】
2018123599.tif 000009
【図８】
2018123599.tif 000010
【図９】
2018123599.tif 000011